(57)【要約】  本発明は、マークフィールド（４）であって、少なくとも２つのロケーションマーク（２）であって、マークフィールド（４）内でのそれぞれのロケーションマーク（２）のロケーションについての情報を含むロケーションマーク（２）と、ロケーションマーク（２）の１つに割り当てられたまたは割り当て可能な少なくとも１つのポジションマーク（３）と、を備えるマークフィールド（４）に関する。さらに本発明は、基板（７）上に配置される構造化部（１１）の構造特徴部（１１ｃ）のＸ−Ｙ−ポジションを特定する装置であって、Ｘ−Ｙ−ポジションは、基板に対して固定のマークフィールド（４）に対して相対的に特定可能である、装置に関する。さらに本発明は、対応する方法に関する。
2021517960.tif 000002
【特許請求の範囲】
【請求項１】
マークフィールド（４）であって、
−少なくとも２つのロケーションマーク（２）であって、前記マークフィールド（４）内のそれぞれの前記ロケーションマーク（２）のロケーションについての情報を含むロケーションマーク（２）と、
−前記ロケーションマーク（２）の１つに割り当てられたまたは割り当て可能な少なくとも１つのポジションマーク（３）と、
を備えるマークフィールド（４）。
【請求項２】
前記ロケーションマーク（２）および／またはポジションマーク（３）は、任意の、特に対称的なラスタ内で統一的な間隔を前記ロケーションマーク（２）および／またはポジションマーク（３）間に置いて配置されている、請求項１記載のマークフィールド。
【請求項３】
隣り合うロケーションマーク（２）および／または隣り合うポジションマーク（３）は、前記マークフィールド（４）上で等間隔に配置されている、請求項１または２記載のマークフィールド。
【請求項４】
前記マークフィールド（４）は、少なくとも１０×１０のマーク（１）、好ましくは、少なくとも１００×１００のマーク（１）、さらに好ましくは、１０００×１０００を超えるマーク（１）、殊に好ましくは、１００００×１００００を超えるマーク（１）、最も好ましくは、１０００００×１０００００を超えるマーク（１）を有する、請求項１から３までのいずれか１項または複数項記載のマークフィールド。
【請求項５】
隣り合うロケーションマーク（２）間の間隔は、前記ロケーションマーク（２）の幅および／もしくは高さまたは直径より小さく、特に、前記間隔と、前記ロケーションマーク（２）の前記幅および／もしくは高さまたは前記直径との比は、１より小さい、さらに好ましくは、０．５より小さい、さらに好ましくは、０．１より小さい、請求項１から４までのいずれか１項または複数項記載のマークフィールド。
【請求項６】
前記マークフィールド（４）の各マーク（１）は、それぞれ異なっており、特にそれぞれ異なるコード、好ましくは、ポジションコードを有する、請求項１から５までのいずれか１項または複数項記載のマークフィールド。
【請求項７】
前記ロケーションマークは、以下の特徴、つまり、
−ＱＲコード、
−バーコード、
−幾何学的な、特に３次元の図形、
−記号列、特に文字列および／または数字列、好ましくはバイナリコード、
−画像、
の１つまたは複数を有する、請求項１から６までのいずれか１項または複数項記載のマークフィールド。
【請求項８】
基板（７）上に配置される構造化部（１１）の構造特徴部（１１ｃ）のＸ−Ｙ−ポジションを特定する装置であって、前記Ｘ−Ｙ−ポジションは、前記基板に対して固定の、請求項１から７までのいずれか１項または複数項にしたがって形成されているマークフィールド（４）に対して相対的に特定可能である、装置。
【請求項９】
基板（７）上に配置される構造化部（１１）の構造特徴部（１１ｃ）のＸ−Ｙ−ポジションを特定する方法であって、
前記基板（７）に対して固定のマークフィールド（４）が、
−少なくとも２つのロケーションマーク（２）であって、前記マークフィールド（４）内でのそれぞれの前記ロケーションマーク（２）のロケーションについての情報を含むロケーションマーク（２）と、
−前記ロケーションマーク（４）の１つに割り当てられたまたは割り当て可能な少なくとも１つのポジションマーク（３）と、
を有し、
前記Ｘ−Ｙ−ポジションを前記マークフィールド（４）に対して相対的に特定する、
方法。
【発明の詳細な説明】
【技術分野】
【０００１】
本発明は、請求項１記載のマークフィールド、請求項８記載の、基板上に配置される構造化部の構造特徴部のＸ−Ｙ−ポジションを特定する装置、請求項９記載の対応する方法に関する。
【０００２】
産業において、基板上の構造化部のポジション（位置）について知ることは、決定的な意味を有している。特に関心が寄せられていることは、構造化部の現実の実際ポジションと理想的な目標ポジションとの間の差である。構造化部の実際ポジションを特定すべく、座標系を導入し、構造化部のポジションをこの座標系に関して表示することが可能である。大抵の場合、座標系は、物体固定の、すなわち基板に割り当てられた座標系である。この座標系は、以下では基板座標系と称呼する。
【０００３】
しかし、すべての構造化部を計測することができるようにするためには、基板と計測システム、特にカメラを有する光学式のシステムとの間の相対運動が実施されねばならない。このことは、すべての構造化部が計測システムの視界内に存在しているわけではないため、必要である。計測すべきすべての構造化部が計測システムの視界内に存在していれば、計測システムと基板との間の相対運動は、当然不要である。
【０００４】
相対運動は、精細な光学式のシステムを動かさなくてもいいように、大抵の場合、基板がその上に固定されている基板ホルダの能動的な運動により実施される。この場合、基板ホルダのポジションは、基板ホルダが経た距離を特定することができるように、極めて正確に特定されねばならない。つまり、基板ホルダのポジションは、空間固定の座標系に関して表示されねばならない。
【０００５】
２点間において基板ホルダの経た経路のみを特定することも可能である。この場合、確かに空間固定の座標系は省略されるが、それでもなお、経た距離を極めて正確に特定することができるようにするためには、極めて精緻な制御装置が必要とされる。
【０００６】
従来技術における前述の各方法は、基板ホルダのポジションあるいは経た経路、ひいては基板の基板表面における構造化部ポジションを計測することができるようにするためには、比較的高価かつ複雑な電子機械式のシステムを必要とする。さらにこの種の設備の走行経路は、相当なものである。相応の構造化部サイズにより、最小の温度変動ですら、使用される構成部材の熱膨張、ひいては構成部材サイズに対して影響を及ぼす。
【０００７】
基板の基板表面において、同時には光学系の視界内に存在しない構造化部を計測することができるように、これらの構造化部を順々に光学系の視界内にもたらすために、基板と光学系との間の相対運動が実施されねばならない。大抵の場合、基板がその上に固定される基板ホルダが走行する一方で、光学系は固定されている。走行中、基板ホルダのポジションは、連続的に追跡されねばならない。つまり、基準系であって、それに関して基板ホルダのポジションが表示される基準系が必要となる。基板ホルダ、ひいては基板のポジション表示は、極めて正確に、特にナノメートル領域で実施されねばならない。この正確なポジション表示、特に数センチメートルの行程にわたってのポジション表示は、極めて正確な、ひいては高価な測定システム、特に干渉計を必要とする。
【０００８】
それゆえ本発明の課題は、基板上の構造化部または構造特徴部のポジションのより正確なかつ／またはより効率的な特定を可能にする、基板を計測する装置および方法を提示することである。
【０００９】
上記課題は、請求項１、８および９の特徴により解決される。本発明の有利な発展形は、従属請求項に記載されている。明細書、特許請求の範囲および／または図面に記載する特徴の少なくとも２つの特徴からなるあらゆる組み合わせも、本発明の範囲内に含まれる。値の範囲を表示した場合、挙げた限界の内にある値も、限界値として開示したものであり、任意の組み合わせで特許を請求することが可能である。
【００１０】
本発明の根底にある思想は、マークフィールドに、
−少なくとも２つのロケーションマークであって、マークフィールド内のそれぞれのロケーションマークのロケーション（方位）についての情報を含むロケーションマークと、
−ロケーションマークの１つに割り当てられたまたは割り当て可能な少なくとも１つのポジションマークであって、基板上の構造化部の構造特徴部のＸ−Ｙ−ポジション（座標）を、特に基板ホルダの運動またはポジションによらず特定するポジションマークと、
を設けることである。
【００１１】
基板の構造化部の本発明による計測は、以後のプロセスステップにおいて、特に、２つの基板同士のより正確かつより効率的なボンディング工程を可能にする。計測した構造化部ポジションが所望の構造化部ポジションに等しくなければ、特にボンディング工程前および／またはボンディング工程中に両基板の少なくとも一方の調節が実施される。換言すれば、好ましくは、基板ペアは選択基準に則って形成される。特に本発明により２つのＸ−Ｙ−ポジションから、またはロケーションマークおよび／もしくはポジションマークの別の特徴から、構造化部のロケーション、特に回転位置が特定される。
【００１２】
さらに、本発明により、２つのＸ−Ｙ−ポジションから、またはロケーションマークおよび／もしくはポジションマークの別の特徴から、構造化部の膨張または変形を特定することが可能である。
【００１３】
１つの、特に独立した発明態様は、基板の基板表面における構造化部の構造特徴部の個々のＸ−Ｙ−ポジションを、基板の基板表面とは反対側に位置する表面上のポジションマークに関連付けあるいは関係付け、特にそれらの間隔をＸ方向および／またはＹ方向で特定することにある。このために、ポジションマークの他に特に付加的にロケーションマークを使用する。この種のポジションマークおよびロケーションマークを使用することで、基板ホルダのポジションを高精度に、技術的に手間あるいはコストのかかる特に光学式の測定システムにより特定または追跡することは、もはや不要である。現在のポジションの大まかな特定は、特にロケーションマークを読み取って解釈することで実施される。現在のポジションのより精緻な特定は、特に付加的な、好ましくはロケーションマークに割り当てられたポジションマークにより実施可能である。
【００１４】
これにより本発明は、特に、（別の）基準系に対して相対的に基板ホルダのポジション、ひいては基板のポジションを求める必要なしに、構造化部または構造特徴部を特定する、特に計測する、好ましくはポジション計測する方法および装置を示している。
【００１５】
本発明の別の、特に独立した核心は、空間固定の基準系であって、それに関して基板ホルダのＸ−Ｙ−ポジションを表示あるいは計測する基準系の使用を特に完全に省略し得る方法および装置を提供することにある。
【００１６】
基本思想は、特に、好ましくは、構造化部または構造特徴部をその上で計測すべき基板表面とは反対側に位置するように配置されたまたは配置可能な表面にマークフィールドを形成することにある。
【００１７】
マークフィールドは、特に２つの特性を有している：マークフィールドの各マークは、測定システム、特に光学系がマークのロケーションを推定することができるようにコード化されている。このロケーションが既知となれば、装置は、高度に正確な、好ましくはそれぞれのロケーションマークに割り当てられたポジションマークにより、高度に正確なポジション特定を実施することができる。
【００１８】
マークフィールドが既知となり、そして互いに校正される２つの光学系が使用されれば、而して計測すべき基板の基板表面の構造化部／構造特徴部は、マークと関連付け可能である（逆もまたしかり）。これにより計算、特に間隔変化の計算が、空間固定の外部の基準系を必要とすることなく、可能となる。
【００１９】
空間固定の基準系であって、それに関して基板ホルダのポジションを記さなければならない基準系は、もはや必要とされない。つまり、もはや基板ホルダのポジションを、光学式に干渉計を用いて追う必要もなければ、機械式にステップカウンタを用いて追う必要もない。それゆえ、本発明の発展形では、特に以下に説明する本発明により開示する手段の他に、基板ホルダのポジションを検出する（特に検出し続ける）手段は、使用されないあるいは装置には装備されていない。
【００２０】
本発明の重要な別の一態様は、特に、マークフィールドおよび／またはポジションマークの歪みを低減するあるいは大幅に回避することにある。
【００２１】
マーク
マークとは、本発明において最も広義に、光学式に検出可能なかつ／またはトポグラフィックに検出可能な構造化部（または構造化部の構造特徴部）と解され、構造化部（または構造化部の構造特徴部）もしくはそのポジション、好ましくは、少なくともそのＸ−Ｙ−ポジション（位置）は、測定機器により検知、ひいては特定可能である。構造化部／構造特徴部を検出、ひいてはそのポジションを特定する測定機器は、特に：
−光学式のシステム、特にカメラ、
−接触式のシステム、特にＡＦＭ、
であってよい。
【００２２】
マークは、好ましくは、以下に記載する材料の少なくとも１つからなっている：
−金属、特に
Ｃｒ，Ａｌ，Ｔｉ，Ｃｕ，Ａｇ，Ａｕ，Ｆｅ，Ｎｉ，Ｃｏ，Ｐｔ，Ｗ，Ｐｂ，Ｔａ，Ｚｎ，Ｓｎ、
−合金、特に
金属合金、
金属−非金属合金、
−セラミック、
−プラスチック、
−半導体、特に
化合物半導体、特に
ＧａＡｓ，ＧａＮ，ＩｎＰ，ＩｎｘＧａ１−ｘＮ，ＩｎＳｂ，ＩｎＡｓ，ＧａＳｂ，ＡｌＮ，ＩｎＮ，ＧａＰ，ＢｅＴｅ，ＺｎＯ，ＣｕＩｎＧａＳｅ２，ＺｎＳ，ＺｎＳｅ，ＺｎＴｅ，ＣｄＳ，ＣｄＳｅ，ＣｄＴｅ，Ｈｇ（１−ｘ）Ｃｄ（ｘ）Ｔｅ，ＢｅＳｅ，ＨｇＳ，ＡｌｘＧａ１−ｘＡｓ，ＧａＳ，ＧａＳｅ，ＧａＴｅ，ＩｎＳ，ＩｎＳｅ，ＩｎＴｅ，ＣｕＩｎＳｅ２，ＣｕＩｎＳ２，ＣｕＩｎＧａＳ２，ＳｉＣ，ＳｉＧｅ、
半導体、特に
Ｇｅ，Ｓｉ，α−Ｓｎ，フラーレン，Ｂ，Ｓｅ，Ｔｅ。
【００２３】
好ましくは、マークは光学式に検知されるので、以下では、光学式の計測について説明する。マークは、特にロケーションマークとポジションマークとからなっている。ロケーションマークは、本発明により好ましくは、コード化可能なまたはコード化されたマーク、つまり情報担体である。ポジションマークは、特に専ら、高度に正確なポジション、特にＸ−Ｙ−ポジションを特定するために使用される。
【００２４】
特にロケーションマークと、ロケーションマークに割り当てられたポジションマークとは、同時に、その都度使用される光学系の視界内で検出可能である。好ましくは、ロケーションマーク、特に各ロケーションマークは、同時の検出が保証されるように、割り当てられたポジションマークの比較的近辺に配置されている。
【００２５】
本発明の有利な一実施の形態によれば、ロケーションマークは、１つまたは複数のポジションマークを有していることが可能である。
【００２６】
ロケーションマークは、特に、５ｍｍ×５ｍｍより小さい、好ましくは、１ｍｍ×１ｍｍより小さい、さらに好ましくは、０．１ｍｍ×０．１ｍｍより小さい、殊に好ましくは、０．０１ｍｍ×０．０１ｍｍより小さい、最も好ましくは、０．００１ｍｍ×０．００１ｍｍより小さい。特に好ましくは、ロケーションマークは、２０μｍ〜２００μｍの幅または直径を有している。
【００２７】
ポジションマークは、特に、０．１ｍｍ×０．１ｍｍより小さい、好ましくは、０．０１ｍｍ×０．０１ｍｍより小さい、さらに好ましくは、０．００１ｍｍ×０．００１ｍｍより小さい、殊に好ましくは、０．０００１ｍｍ×０．０００１ｍｍより小さい、最も好ましくは、０．００００１ｍｍ×０．００００１ｍｍより小さい。
【００２８】
ロケーションマークおよび／またはポジションマークは、好ましくは、コンピュータ内に生成される模様の一部である。デジタル模様内のロケーションマークおよびポジションマークのポジションは、理想的と見なすことができる。ロケーションマークおよびポジションマークを特に成層技術、マスク技術、エッチング技術および現像技術により作成することで、現実のロケーションマークおよびポジションマークが生じる。これらの現実のロケーションマークおよびポジションマークのポジションは、特にエラーを伴い得るプロセスおよび設備に基づいて、所望の理想ポジションから偏差する。これらの偏差は、好ましくは、最小であり、ナノメートル範囲にある。それゆえ、ロケーションマークおよびポジションマークの精度は、理想ポジションと現実のポジションとの偏差が小さければ小さいほど、高い。偏差は、特に、１μｍより小さい、好ましくは、５００ｎｍより小さい、さらに好ましくは、２５０ｎｍより小さい、殊に好ましくは、５０ｎｍより小さい、最も好ましくは、１０ｎｍより小さい。
【００２９】
本発明の別の一態様は、マークフィールド担体、特にマークの、とりわけ、本来は高度に正確に作成すべきポジションマークの製造不正確性を受け入れることにある。それゆえ装置は、特に、高精度には製造されないポジションマークを有するマークフィールドを有しており、これにより、生産コストは、大幅に引き下げ可能である。
【００３０】
それにもかかわらず、高精緻なポジションを提供するポジションマークフィールドを利用することができるように、目標ポジションマークフィールドが、特にコンピュータ内に格納、記憶される。コンピュータ内のポジションマークのポジションは、理想的と見なすことができる一方、作成されたポジションマークフィールドの実際のポジション（実際ポジション）は、そこから偏差していることがある。調整プロセスにおいて、マークフィールド担体のマークフィールドが計測され（実際ポジションが求められ）、コンピュータ内の理想的なポジションマークと、マークフィールド担体上の実際のポジションマークとの間の相対ポジションが求められ、記憶される。
【００３１】
そこから、各実際のポジションマークについて、相応の修正が、理想的なポジションマークに関して計算、特に、それぞれのポジションに対するベクトルの形式で計算される。この方法により、基板上の構造化部をマークフィールド担体上の実際のポジションマークと相関させ、実際のポジションマークを他方ではコンピュータ内の理想的なポジションマークと相関させることが可能である。このアイデアにより、マークフィールド担体の製造コストは、特にマークフィールドの比較的不正確な製造の許容により、大きく引き下げられ、而して経済的な利点がもたらされる。
【００３２】
本発明により、各ロケーションマークは、マークフィールド内で個別化されている。個別化により、それぞれ異なるロケーションマークを取り違える可能性は、排除されており、その結果、各ロケーションマークを検出することで、マークフィールド上のロケーションマークのＸ−Ｙ−座標領域を推定することが可能である。マークフィールドの座標系は、特にマークフィールド座標系と称呼される。ロケーションマークは、好ましくは、以下の特徴、つまり、
−ＱＲコード、
−バーコード、
−幾何学的な、特に３次元の図形、
−記号列、特に文字列および／または数字列、好ましくはバイナリコード、
−画像、
の１つまたは複数である。
【００３３】
ロケーションマークは、特に情報担体である。好ましくは、各ロケーションマークは、ラスタ（格子状のパターン）内のどのポジションにこのロケーションマークが存在しているか、つまり、どのＸ−Ｙ−座標領域にこのロケーションマークが置かれているかを表示するＸ−Ｙ−ポジションによりコード化される。
【００３４】
ポジションマークは、簡単なまたは複雑な形成物として構成することができる。ポジションマークの詳細な形状については、従来技術においてそれ自体公知であるため、深入りしない。図中、ポジションマークは、特に十字で示す。ポジションマークは、好ましくは、従来技術において慣用されているアライメントマークと同じに製作され、好ましくは、同じ外観を呈している。これにより、従来技術においてアライメントマークの分析のために使用される技術が、ポジションマークの分析のためにも利用可能である。
【００３５】
本発明による殊に好ましい実施の形態において、ポジションマークは、ロケーションマークを包囲、特に囲繞している。この場合、ポジションマークは、特に円、長方形、八角形、または容易にソフトウェアにより認識され、評価され得る任意の別の幾何学的な図形として構成されている。
【００３６】
マークフィールド
マークフィールドは、特に、好ましくは互いに高対称的に配置される複数のマーク、すなわちロケーションマークおよびポジションマークの集合からなっている。本発明において重要なことは、とりわけ、ポジションマークが互いに高精度に作成されることである。ポジションマークに割り当てられたまたは割り当て可能なロケーションマークは、両者が好ましくは同時に光学系の視界内に存在しているように配置される。ロケーションマークは、特に専ら、光学系により観察される、以下の文ではロケーションとしか呼ばない大体のロケーションポジション（方位）を読み取るために用いられる。好ましくは、各ロケーションマークと、割り当てられたポジションマークとの間の相対ポジションは、同じである。このことは、評価アルゴリズムのプログラミングを容易にし、ひいては、ロケーションマークおよびポジションマークが光学系の視界内に存在すると直ちに、マークフィールド内のロケーションマークおよび／またはポジションマークをサーチすることが容易になる。
【００３７】
殊に好ましい一実施の形態において、ロケーションマークは、ポジションマークにより、特に全周にわたって包囲、特に囲繞される。
【００３８】
これによりロケーションマークの製作精度は、ポジションマークの製作精度より低くてよく、これにより、マークフィールドのための製造コストは、最小化される。
【００３９】
マークフィールドが、ロケーションマークとポジションマークとが互いに融合されたマークから構成されている場合には、好ましくは、マークフィールドのすべてのマークは、高精度に作成される。それというのも、各マークは、ロケーションマークであると同時に、ポジションマークであって、つまり両機能を有しているからである。
【００４０】
好ましくは、マークは、任意の、特に対称のラスタ内で統一的な間隔をロケーションマーク間において配置されている。隣り合うロケーションマークおよび／またはポジションマークは、好ましくは、マークフィールド上に等間隔に配置されている。マークフィールド内には、特に、１０×１０を超えるマーク、好ましくは、１００×１００を超えるマーク、さらに好ましくは、１０００×１０００を超えるマーク、殊に好ましくは、１００００×１００００を超えるマーク、最も好ましくは、１０００００×１０００００を超えるマークが存在している。隣り合うロケーションマーク間の間隔は、特に、ロケーションマークの幅および／もしくは高さまたは直径より小さい。好ましくは、前記間隔と、ロケーションマークの幅および／もしくは高さまたは直径との比は、１より小さい、さらに好ましくは、０．５より小さい、さらに好ましくは、０．１より小さい。
【００４１】
好ましくは、ロケーションマークは、ラスタ内のＸ−Ｙ−ポジションをコード化している。これにより、ロケーションマークを検出する際に、検出手段、特に１つまたは複数の光学系により検出されたばかりのそれぞれのラスタ領域について推定することが可能である。各ロケーションマーク内の付加的な情報のコード化、例えばロケーションマークに対する割り当てられたポジションマークのロケーションのコード化が可能である。
【００４２】
念のため開示しておくと、マークは、高度に対称的なラスタ上に存在していなくてもよい。マークの分布は、ポジションマーク間の間隔の関係（ベクトルまたはＸ−Ｙ−間隔）が既知であり、それぞれのロケーションマークがその相応のポジションマークに関連付け可能である限り、任意であってよい。非対称のラスタ上でのマークの分布は、若干劣化した実施の形態をなしている。
【００４３】
マークフィールドは、好ましくは、一方では、計測されるべきあるいはそのＸ−Ｙ−ポジションが本発明により特定される構造化部が存在している基板表面の可能な限り近傍に配置される。他方では、マークフィールドを形成する構造部は、損傷から保護されることが望ましい。計測すべき構造化部とマークフィールド担体との間の間隔は、好ましくは、０．１ｍｍ〜１００ｍｍ、好ましくは、０．２５ｍｍ〜７５ｍｍ、さらに好ましくは、０．５ｍｍ〜５０ｍｍ、殊に好ましくは、１ｍｍ〜３０ｍｍ、最も好ましくは、５ｍｍ〜２０ｍｍである。
【００４４】
特にマークフィールドは、機械的な負荷および摩滅から保護するために、マークフィールド担体の、基板から背離した側に配置され、こうして基板と直接接触しない。マークフィールドを、機械的かつ／または化学的な影響から保護すべく、透明のコーティングで被覆することも可能である。
【００４５】
マークフィールド担体
本発明によるマークフィールド担体は、マークフィールドがその上に設けられている／設けられる１つまたは複数の構成部材である。
【００４６】
本発明による第１の実施の形態によれば、基板ホルダ自体がマークフィールド担体である。マークフィールドは、基板ホルダの両表面の一方、好ましくは、基板がその上に固定される固定表面に存在している。
【００４７】
マークフィールドが固定表面に存在している場合、基板ホルダは、少なくともマークフィールドの下方において、好ましくは、マークフィールドを観察する電磁放射に関して少なくとも部分的に透過性に形成される。
【００４８】
マークフィールドが、固定表面とは反対側に位置する表面に存在している場合は、基板ホルダは、不透明であってもよい。
【００４９】
本発明による第２の、特に好ましい実施の形態において、マークフィールド担体は、独立した構成部材であり、基板ホルダ内にまたは基板ホルダに接するように固定可能であり、ひいては迅速に交換可能である。
【００５０】
好ましくは、この場合も、マークフィールドは、固定表面に設けられており、前記構成部材は、使用される電磁放射に対して少なくとも部分的に透過性である。この構成により、マークフィールド担体は、基板ホルダとは別個に製造され得る。これによりフレキシビリティは向上され、交換は容易になる。さらに生産コストは引き下げ可能である。
【００５１】
本発明による一拡張形によれば、基板ホルダは、マークフィールド担体がこの基板ホルダ内に装入可能であり、周辺部でのみ支持されるように構成される。この特別な実施の形態において、マークフィールド担体は、可能な限り厚く構成され、その結果、曲げ抵抗は、可能な限り大きく、ポジションマークの歪みは、最小化され、好ましくは、完全になくなる。周辺部でのみ支持されるマークフィールド担体は、薄く形成されればされるほど、重力の力により強く湾曲される。湾曲は、重力の方向を向いたマークフィールド担体表面の伸長をもたらす。したがってマークフィールドは圧縮されることにもなり、これにより、Ｘ−Ｙ−ポジションを特定する精度は低下してしまう。
【００５２】
本発明による別の一拡張形によれば、基板ホルダは、マークフィールド担体を基板ホルダ内に装入することができ、周辺部だけでなく、支柱、特に中心に集まる支柱によっても下方から支持されるように構成される。支柱は、とりわけマークフィールド担体の湾曲を最小化する。好ましくは、支柱は、構造化部のＸ−Ｙ−ポジションを検出する際に使用される電磁放射に対して少なくとも部分的に透過性である。支柱が不透明であると、支柱により隠された面に沿って、マークフィールドのマークと、基板表面上の構造化部との間の相関が形成され得ない。
【００５３】
マークフィールド担体および／または支柱の透過率は、特に、１０％より高い、好ましくは、２５％より高い、さらに好ましくは、５０％より高い、殊に好ましくは、７５％より高い、最も好ましくは、９５％より高い。
【００５４】
湾曲の問題に対しては、とりわけ、可能な限り厚いマークフィールド担体により対応することができる。マークフィールド担体の厚さは、特に、１ｍｍより厚い、好ましくは、２ｍｍより厚い、さらに好ましくは、５ｍｍより厚い、殊に好ましくは、２０ｍｍより厚い、最も好ましくは、３０ｍｍより厚い。マークフィールド担体が厚ければ厚いほど、マークフィールド担体の曲げ抵抗は大きく、マークフィールド担体は曲げにより変形され難くなる。
【００５５】
基板は、あらゆる任意の形状を有していてよいが、好ましくは、円形である。基板の直径は、特に産業的に規格化されている。ウエハについては、産業上一般的な直径は、１インチ、２インチ、３インチ、４インチ、５インチ、６インチ、８インチ、１２インチおよび１８インチである。しかし、本発明による実施の形態は、原則、あらゆる基板をその直径によらず取り扱うことが可能である。
【００５６】
マークフィールド担体および／またはマークフィールドは、特に基板の直径に略等しい直径および／または周囲輪郭を有している。
【００５７】
特別な実施の形態において、マークフィールド担体の直径は、基板の直径より大きい、特に、基板の直径の１．０１倍より大きい、好ましくは、１．０５倍より大きい、さらに好ましくは、１．１倍より大きい、殊に好ましくは、１．２倍より大きい、最も好ましくは、１．２倍より大きい。
【００５８】
本発明による一発展形によれば、支柱は、可能な限り透明である。好ましくは、支柱自体は、使用される電磁放射に対して完全に透過性の材料から製造される。使用される光学系のために可能な限り多くの視界を提供すべく、支柱に可能な限り広範に溝および穴を設けることも可能である。減じられた支持作用を再び向上させるために、溝および穴は、特に形状結合式にかつ／または面一に、透明のインサートにより閉鎖されてもよい。
【００５９】
マークフィールド担体は、好ましくは、以下の材料の少なくとも１つから、少なくとも部分的に製造される：
−金属、特に
Ｃｕ，Ａｇ，Ａｕ，Ａｌ，Ｆｅ，Ｎｉ，Ｃｏ，Ｐｔ，Ｗ，Ｃｒ，Ｐｂ，Ｔｉ，Ｔａ，Ｚｎ，Ｓｎならびに／または
−プラスチック、特に
エラストマー、特に
バイトン（素材）および／もしくは
ポリウレタンおよび／もしくは
ハイパロン（素材）および／もしくは
イソプレンゴム（素材）および／もしくは
ニトリルゴム（素材）および／もしくは
パーフルオロゴム（素材）および／もしくは
ポリイソブテン（素材）、
熱可塑性のエラストマーならびに／または
−半導体材料、特に
化合物半導体、
ＧａＡｓ，ＧａＮ，ＩｎＰ，ＩｎｘＧａ１−ｘＮ，ＩｎＳｂ，ＩｎＡｓ，ＧａＳｂ，ＡｌＮ，ＩｎＮ，ＧａＰ，ＢｅＴｅ，ＺｎＯ，ＣｕＩｎＧａＳｅ２，ＺｎＳ，ＺｎＳｅ，ＺｎＴｅ，ＣｄＳ，ＣｄＳｅ，ＣｄＴｅ，Ｈｇ（１−ｘ）Ｃｄ（ｘ）Ｔｅ，ＢｅＳｅ，ＨｇＳ，ＡｌｘＧａ１−ｘＡｓ，ＧａＳ，ＧａＳｅ，ＧａＴｅ，ＩｎＳ，ＩｎＳｅ，ＩｎＴｅ，ＣｕＩｎＳｅ２，ＣｕＩｎＳ２，ＣｕＩｎＧａＳ２，ＳｉＣ，ＳｉＧｅ、
半導体、特に
Ｇｅ，Ｓｉ，α−Ｓｎ，フラーレン，Ｂ，Ｓｅ，Ｔｅ、
−ガラス、特に
金属ガラス、
非金属ガラス、特に
有機非金属ガラス、
無機非金属ガラス、特に
非酸化物ガラス、特に
ハロゲン化物ガラス、
カルコゲナイドガラス、
酸化物ガラス、特に
リン酸塩ガラス、
ケイ酸塩ガラス、特に
アルミノケイ酸塩ガラス、
鉛ケイ酸塩ガラス、
アルカリケイ酸塩ガラス、特に
アルカリ−アルカリ土類ケイ酸塩ガラス、
ホウケイ酸ガラス、
ホウ酸塩ガラス、特に
アルカリホウ酸塩ガラス、
石英、
−セラミック、
−鉱物、特にサファイア。
【００６０】
マークフィールド担体は、好ましくは、
−円筒形、
−（好ましくは）直方体形、
である。しかし、マークフィールド担体は、原則、あらゆる任意の形状をとることができる。
【００６１】
マークフィールド担体は、好ましくは、温度変動がマークフィールド担体、ひいてはマークフィールドの歪みに至らないように、極めて低い熱膨張係数を有する素材から製造される。
【００６２】
マークフィールド担体が、それほど低くない熱膨張係数を有する素材からなっている場合、マークフィールド担体は、好ましくは、マークフィールド表面の膨張が妨げられている、つまり、マークフィールド表面が、場合によっては起こり得る温度変動または温度偏差にもかかわらず膨張し得ないように組み込まれる。この状態は、構造技術的に、特に、マークフィールド担体が、それ自体低い熱膨張係数を有する素材からなる構成部材、特に基板ホルダ内に組み込まれることにより解決される。
【００６３】
マークフィールド担体の熱膨張係数は、温度差によるマークフィールド担体の歪み、あるいはマークフィールド担体の膨張を妨げる構成部材の歪みを防止すべく、可能な限り小さいことが望ましい。熱膨張係数は、特に、１０−４Ｋ−１より小さい、好ましくは、５×１０−５Ｋ−１より小さい、さらに好ましくは、１０−５Ｋ−１より小さい、殊に好ましくは、５×１０−６Ｋ−１より小さい、殊に好ましくは、１０−６Ｋ−１より小さい、最も好ましくは、１０−７Ｋ−１より小さい。
【００６４】
マークフィールドは、マークフィールド担体が、測定すべき基板と接触する場合、好ましくは、マークフィールド担体において、基板の測定すべき構造化部の可能な限り近傍に配置される。マークフィールドと、計測すべき構造化部との間の間隔を適切に最小化することにより、互いに校正される光学系の光軸のアライメントにより生じる可能性のある、場合によっては起こり得る光学的なエラーは、最小化される。
【００６５】
マークフィールド担体と基板ホルダとがそれぞれ異なる構成部材あるいは構成群をなしている実施の形態において、固定要素が基板ホルダおよび／またはマークフィールド担体に存在していてもよい。固定要素がマークフィールド担体に存在している場合は、好ましくは、マークフィールド担体の固定要素を制御すべく、制御接続が基板ホルダとマークフィールド担体との間に設けられている。
【００６６】
固定要素は、基板を保持するために用いられる。固定要素は、以下の固定要素：
−機械式の固定手段、特にクランプ、
−真空固定手段、特に個々に動作制御可能なまたは互いに接続された複数の真空帯を有する真空固定手段、
−電気式の固定手段、特に静電気を利用した固定手段、
−磁気式の固定手段、
−接着式の固定手段、特にＧｅｌ−Ｐａｋ固定手段、
−接着式の、特に動作制御可能な表面を有する固定手段、
の１つまたは複数であってもよい。
【００６７】
固定手段は、特に電子式に動作制御可能である。真空固定は、好ましい固定の形態である。真空固定は、好ましくは、複数の真空路からなっており、真空路は、試料ホルダの表面に露出している。真空路は、好ましくは、個々に動作制御可能である。技術的により実現可能な応用では、幾つかの真空路が真空路セグメントにまとめられ、これらの真空路セグメントは、個々に動作制御可能であり、ひいては互いに独立して排気または注気可能である。真空路セグメントは、好ましくは、リング形に構成されている。
【００６８】
固定の特別な一形態は、低接触基板ホルダ（英：ｌｏｗ  ｃｏｎｔａｃｔ  ｃｈｕｃｋ）により実現され、低接触基板ホルダは、個々の、特に対称に分配された複数の隆起部（英：ｐｉｎ）からなっている。この基板ホルダは、突起試料ホルダ（英：ｐｉｎ  ｃｈｕｃｋ）とも称呼される。隆起部間の空間は、排気することができ、その際、同時に真空固定として機能する。有利なのは、隆起部だけが基板に接触し、ひいては、固定される基板側の負荷および汚染が比較的僅かで済むことである。さらなる利点は、低接触基板ホルダであると、固定した基板を歪ませるのが可能な限り僅かで済むことにあり、このことは、基板の構造化部の計測にとって１つの利点である。さらなる利点は、低接触基板ホルダが基板の大幅に一様な固定を可能にすることにある。このような基板ホルダの実施の形態は、国際公開第２０１５／１１３６４１号に開示されており、その点については、国際公開第２０１５／１１３６４１号を参照されたい。このような低接触基板ホルダは、好ましくは、少なくとも大体において不透明であるので、本発明に係るマークフィールドは、基板固定表面から背離した表面に存在している。
【００６９】
それほど好ましくない本発明による別の一実施の形態において、計測すべき構造化部がその上に存在している基板自体が、マークフィールド担体である。マークフィールドは、計測すべき構造化部を有する基板表面とは反対側に位置する基板表面に配置される。この好ましくない実施の形態は、以下の欠点を有している：第１に、マークフィールドが基板毎に形成されねばならない。このことは、付加的な手間およびコストを招く。第２に、構造化部を基板の一方の側に、そしてマークを基板の他方の側に形成することは、生産上の問題につながり、場合によっては歪みにつながる。第３に、基板は、通常、低い曲げ抵抗を有しており、このことは、同じくマークフィールドの歪みにつながることがある。
【００７０】
それゆえ、本発明の一発展形によれば、マークフィールドを、好ましくは、調べたい基板とは明確に切り離すこと、つまり、マークフィールドを基板自体に配置しないことが有利である。
【００７１】
装置
本発明に係る装置は、マークフィールド担体と、基板ホルダと、少なくとも２つの光学系とからなっている。マークフィールド担体は、好ましくは、基板ホルダの一部である（その逆もまた然り）。本明細書において基板ホルダまたはマークフィールド担体について述べる限りにおいて、これらは、ユニットと見なされるまたは同義に使用される。
【００７２】
両光学系は、向かい合うように構成され、かつ配置されている。両光学系の光軸は、好ましくは、可能な限り良好に互いに校正され、好ましくは、平行にまたは一直線に整列するように方向付けられる。互いに方向付けられた２つの光学系の校正に関しては、国際公開第２０１４／２０２１０６号を参照されたい。光学系は、ｘ方向および／またはｙ方向および／またはｚ方向で並進運動可能、かつ／または、好ましくは、それぞれ互いに垂直に配置される３つの空間軸回りに回転可能である。これらの自由度は、光学系の校正に用いられる。両光学系が互いに校正されたら、好ましくは、光学系間の相対運動はもはや実施されない。光学系は、Ｘ−Ｙ−ポジションの本発明による特定中、互いに相対的に固定される。
【００７３】
念のため、互いに校正された２つの光学系が連結されて運動する可能性を開示しておく。好ましくは、光学系は、一種のＵ字形の結合を介して機械的に互いに連結されており、その結果、光学系は、この場合も、Ｘ−Ｙ−ポジションの本発明による特定中、互いに相対的に固定されている。しかし、より好ましいのは、機械的に両光学系を互いに切り離すことである。好ましくは、光学系は、振動を最小化すべく、基板ホルダがその上を動かされるフレームあるいは表面から機械的に可能な限り最良に連結解除されているあるいは少なくとも緩衝されている。
【００７４】
フレームは、好ましくは、振動伝達を可能な限り完全に回避すべく、光学系から機械的に切り離されているあるいは少なくとも緩衝されている。
【００７５】
方法
Ｘ−Ｙ−ポジションを特定する本発明による決定的な方法ステップの前に、両光学系を特に互いに可能な限り最良に校正する。
【００７６】
最適な校正方法では、両光学系の光軸を互いに合同に、つまり一致するように方向付ける。この状態への到達は、技術的に困難を伴うか、まったくもって不可能なこともある。しかし、好ましくは、この状態に可能な限り最良に近付けるように、少なくとも試みるべきである。
【００７７】
両光学系相互の最適な校正のための別の重要なステップは、両光学系の被写界深度範囲を重畳させ、被写界深度範囲の交差範囲が、マークフィールドと、計測すべき構造化部とを同時に検出するようにすることである。このことは、両被写界深度範囲が、マークフィールドと、計測すべき構造化部との間の間隔と少なくとも同じであるか、またはそれよりも大きい場合にのみ可能であり、このことは、この記載をもって本発明の有利な実施の形態として開示したものとする。特に、厚い基板の場合、またはマークフィールドが、計測すべき構造化部から遠く離れて存在しているマークフィールド担体の場合、マークフィールドは、一方の光学系により、そして構造化部は、他方の光学系により焦点合わせされ、すなわち、それぞれの光学系のそれぞれの被写界深度範囲内にもたらされる。
【００７８】
本来の本発明に係る方法の前に、好ましくは、両軸の斜行により発生する可能性がある、場合によっては起こり得るエラーを、Ｘ−Ｙ−ポジションの特定時に考慮することができるように、両光学系相互の校正を行う。本発明において好ましいのは、可能な限り任意の基板のあらゆる種類の構造化部に使用可能な、可能な限り多面的に使用可能なマークフィールドを有するマークフィールド担体の製造である。このことは、特にこのようなマークフィールド担体に要する高い製造コストを顧慮しても、望ましい。これにより好ましいのは、基板の検出すべき構造化部に可能な限り依存せずに製作されるマークフィールドである。
【００７９】
本発明による特別な一実施の形態において、１つのロケーションマークに複数のポジションマークが割り当てられていてもよく、その結果、極めて密なポジションマークのフィールドが得られる。これに代えてまたはこれに加えて、特に複数のポジションマークが光学系の視界内に配置される。視界は、好ましくは、長方形、最も好ましくは、正方形である、すなわち、視界の単位寸法当たりの画素数は、一定である。その際、視界の単位寸法当たりのポジションマークの数は、少なくとも１、好ましくは、３より多い、さらに好ましくは、５より多い、殊に好ましくは、７より多い、最も好ましくは、１０より多い。本発明による多数のポジションマークにより、仮に次のロケーションマークがまだ見えなくても、常に少なくとも１つの（好ましくは、少なくとも２つの）ポジションマークが視界内に見出されることが保証される。それゆえ、ポジションマークの密度は、特にロケーションマークの密度より高くてもよい。ポジションマークの密度は、ロケーションマークの密度と同じ、好ましくは、ロケーションマークの密度の２倍、さらに好ましくは、５倍、殊に好ましくは、１０倍、最も好ましくは、１００倍である。
【００８０】
特に本発明に係る方法と、複数のポジションマークが同時に視界内に存在している実施の形態とは、ポジションマークの平均化をすることを可能にし、好ましくは、ポジションマークの製造誤差が補償される。平均化をすることで、相応に平均化された仮想のポジションマークが得られ、仮想のポジションマークは、而して基板表面における構造化部の計測用のポジションマークとして使用され得る。４つのポジションマークが同時に視界内に存在し、すべてが正方形の角に存在していると仮定する。ポジションマークのポジションを求めることで、正方形の中心を計算することができ、正方形の中心は、新しいポジションマークとして用いられる。この新しいポジションマークは、確かに実体として存在するものではないが、コンピュータにより求め、記憶し、必要であれば、デジタル画像に書き込むこともできる。その際、本発明に係る方法にとって、実体として存在するポジションマークが本発明に係る方法のために使用されるか、または計算上のポジションマークが本発明に係る方法のために使用されるかは、重要でない。
【００８１】
本発明に係る方法は、特に、基板表面における構造化部、または構造化部の少なくとも１つの構造特徴部の実際パラメータと目標パラメータとの間の偏差（つまり、特に生産誤差）を求めるために使用され得る。考え得る生産誤差は、フォトリソグラフィプロセスが若干斜めの露光を実施してしまったり、エッチングプロセスがエッジの品質を悪化させてしまったり、等である。さらに偏差は、事後的な歪み、特に温度変動による歪みであることもある。特に構造化部は、
−回転誤差および／または
−並進誤差および／または
−スケーリング誤差および／または
−残存誤差
を有していることがある。回転誤差とは、構造化部がその理想的な目標ポジションに対して全体的かつ／または局所的に回転しているエラーと解される。並進誤差とは、構造化部がその理想的な目標ポジションに対して全体的かつ／または局所的に並進しているエラーと解される。スケーリング誤差とは、構造化部がその理想的な目標ポジションに対して全体的かつ／または局所的にスケーリングを受けているエラーと解される。このエラーは、当業者の世界では、「ランアウト」とも称呼される。「ランアウト」は、特に、半径が大きくなるにつれて、誤差が大きくなることを特徴としている。大抵の場合、この誤差は、基板の縁部において中心近傍の領域におけるよりも強く作用する熱膨張の結果である。残存誤差は、目標構造化部と実際構造化部との偏差に至るすべての別種の誤差を指している。実際構造化部が目標構造化部とは軽微に異なるという作用は、以下では初期誤差または「インカミングエラー（ｉｎｃｏｍｉｎｇ  ｅｒｒｏｒ）」と称呼する。
【００８２】
別のまたは付加的な誤差は、後続のプロセス、特にボンディングプロセス中に生じることがある。本発明による実施の形態は、とりわけ、さらなるプロセス、特にボンディングプロセスを行う前に、構造化部を計測するために好適である。構造化部の実際状態の計測、特にボンディング工程直前の計測は、ボンディングすべき２つの基板の構造化部の一致性を保証し、確保するために、根本的な意味を有している。しかし、念のため言及しておくと、本発明に係る方法により、ボンディング工程を実施した後に、本発明に係るマークフィールドに関係付けた構造化部の計測を実施することも可能である。この場合、そのためには、基板を通してその構造化部が調べられることになる基板は、その都度使用される電磁放射に対して、ボンディング境界面内の構造化部を認識することができるように透過性でなければならない。ガラス基板の使用も可能である。相応の基板が赤外線に対して透過性であり、赤外放射を構造化部の計測のために使用することも可能である。可視光に対して十分透過性であるように基板を薄く構成することも可能である。このことは、シリコンについていえば、厚さが、１０μｍ未満、好ましくは、５μｍ未満、さらに好ましくは、３μｍ未満、殊に好ましくは、２μｍ未満、最も好ましくは、１μｍ未満であるときに成立する。
【００８３】
それゆえ、独立した発明として、本発明により続いてのボンディングステップにおいて接続すべき２つの基板の構造化部／構造特徴部のＸ−Ｙ−ポジションを特定する方法も開示される。
【００８４】
任意選択的な方法ステップにおいて、使用する２つの光学系の光軸を互いに校正する。両光学系の校正は、好ましくは、校正基板により実施される。
【００８５】
校正基板は、基板における計測すべき構造化部と、マークフィールドとの間の間隔に略等しい厚さを有している。校正基板は、２つの校正マークを各側に１つずつ有している。これらの両校正マークは、可能な限り最良に互いに相関されていなければならない、すなわち直接重なり合って位置していなければならない。換言すれば、両校正マーク間の横方向の変位は、最小であることが望ましい。本発明による特に好ましい一実施の形態では、貫通部、特に貫通孔、さらに好ましくは貫通エッチング部を一方の基板表面から他方の基板表面へと形成することにより、この種の校正マークを生成する。基板表面における穴は、その場合、厚さにわたって互いに一致している。この方法は、以下では穴あけ法と称呼する。本発明による第１の校正方法では、上側の光学系は、上側の校正マークに、下側の光学系は、下側の校正マークに焦点合わせする。両光学系の光軸は、概して互いに一致していないため、１つの画像に統合した両校正マークも一致しない。校正マーク間の、ｘ方向およびｙ方向での間隔ｄｘ１およびｄｙ１を計測し、記憶する。
【００８６】
その後、基板の１８０°の回転と、校正マークの改めての計測とを実施する。校正マーク間の、ｘ方向およびｙ方向での間隔ｄｘ２およびｄｙ２を計測し、記憶する。
【００８７】
さらなる校正ステップにおいて、誤差値ｄｘおよびｄｙを計算する：
ｄｘ＝ｄｘ１＋ｄｘ２
ｄｙ＝ｄｙ１＋ｄｙ２
こうして求めた値ｄｘおよびｄｙは、而して、校正マークの（２倍の）横方向の変位と、（２倍の）光学的な誤差とからなる（２倍の）合計誤差である：
ｄｘ＝（２倍の）横方向の変位ｘ＋（２倍の）光学的な誤差ｘ
ｄｙ＝（２倍の）横方向の変位ｙ＋（２倍の）光学的な誤差ｙ
校正マークのための最適な作成方法、特に穴あけ法の既に言及した使用により、横方向の変位は、事実上、ゼロに減じることができ、値ｄｘおよびｄｙは、（２倍の）光学的な誤差を表している：
（２倍の）光学的な誤差ｘ＝ｄｘ
（２倍の）光学的な誤差ｙ＝ｄｙ
横方向の変位がそれほど小さくない場合は、横方向の変位を別の方法で求め、その後で差し引く必要がある：
（２倍の）光学的な誤差ｘ＝ｄｘ−測定した（２倍の）横方向の変位ｘ
（２倍の）光学的な誤差ｙ＝ｄｙ−測定した（２倍の）横方向の変位ｙ
ｘ方向およびｙ方向での光学的な誤差は、最終的に
光学的な誤差ｘ＝（２倍の）光学的な誤差ｘ／２
光学的な誤差ｙ＝（２倍の）光学的な誤差ｙ／２
により得られる。ｘ方向およびｙ方向での光学的な誤差は、光学系をその後それ以上互いに動かさない限り、１回だけ計算すればよい。その後、基板表面における構造化部と、マークフィールド内の相応のポジションマークとの間の、計測したｘ方向およびｙ方向での各間隔を光学的な誤差の分だけ修正するために、ｘ方向およびｙ方向での光学的な誤差を用いることができる。光学的な誤差は、好ましくは、ベクトルとして記憶され、以下の文では、アルファベットのＦで示す。
【００８８】
本発明によるさらなる方法ステップにおいて、基板を基板ホルダ、およびマークフィールドを有するマークフィールド担体に固定する。好ましくは、基板とマークフィールド担体とは、２つの別体の構成部材である。特に基板は、直接、マークフィールド担体に固定され、マークフィールド担体は、他方、基板ホルダに固定されている。
【００８９】
本発明による続く方法ステップにおいて、基板表面上の構造化部、特にすべての構造化部を移動させ、計測する。第１の、特に上側の光学系が、基板の構造化部を視界に収めている一方、第２の、特に下側の光学系は、マークフィールドの少なくとも１つのロケーションマークと少なくとも１つのポジションマークとを有する対応領域を捉えている。生成した両画像は、デジタル式に重ね合わせることができ、而して、好ましくはデジタル式にソフトウェアにより評価可能な重畳画像を生じる。
【００９０】
ロケーションマークが下側の光学系の視界内に位置すると直ちに、ロケーションマークのＸ−Ｙ−座標領域についての情報が評価される。これにより、今や装置には、基板ホルダ、ひいては基板が光学系に対してどのラフポジションに存在しているかが既知となっている。好ましくは、ポジションマークを下側の光学系に対してセンタリングするので、ポジションマークは、光学系の視界の中心に存在している。代替的には、光学系を、計測すべき構造化部の特徴的な構造特徴部に対してセンタリングしてもよい。好ましくは、構造化部の回転位置も特定することができるように、構造化部の複数の特徴的な構造特徴部をポジションマークに対して計測するべきであるため、好ましくは、ポジションマークをセンタリングする。
【００９１】
ポジションマークのセンタリングは、好ましいものの、ポジションマークと、構造化部の特徴的な構造特徴部との間の間隔の計測時に絶対的なポジショニングは不要であるため、本発明の実施にとって本質的なものではない。
【００９２】
重要なのは、とりわけ、構造化部の少なくとも１つの特徴的な構造特徴部がポジションマークに対して相対的に計測されることである。例えば、長方形の構造化部の場合、左上の角が選択可能である。長方形の構造化部の場合、４つすべての角をポジションマークに対して計測することが好ましい。計測とは、それぞれ同じポジションマークに対する少なくとも２つの値、すなわち水平方向間隔ｄｘおよび垂直方向間隔ｄｙの値を求めることと解される。
【００９３】
特に画像ならびに／または求めたデータ、特にロケーションマークのロケーションデータおよびポジションマークおよび構造化部もしくは構造特徴部のポジションデータをコンピュータ内に記憶する。この方法ステップは、基板上の任意の数、好ましくはすべての構造化部のために実施される。
【００９４】
本発明によるさらなる方法ステップにおいて、構造化部の、検出した特にすべての特徴的な構造特徴部のＸ−Ｙ−ポジションデータを得た後、特定したＸ−Ｙ−ポジションを、それぞれの理想ポジション（目標ポジション）を基準に定める。基準として、特に理想的な構造化部、好ましくはマークフィールドが好適である。これにより、特徴的な構造特徴部の偏差、すなわち、目標状態と実際状態との間の差を求めることができる。
【００９５】
Ｘ−Ｙ−ポジションあるいは偏差を正確に、特に数学的に求めることは、特に以下に記載する点の１つまたは複数を考慮して実施される：
−マークフィールドの軸は、基板座標系の軸と一致していない。
−コンピュータ内のマークフィールドの理想的なポジションマークは、マークフィールド担体におけるマークフィールドの現実のポジションマークと同じには配置されていない。偏差を計測し、記憶することができる。
−マークフィールドの現実のポジションマークのポジションと、基板上の現実の構造化部のポジションとの間の相関は、ここで説明したように求めることができる。
−コンピュータ内のマークフィールドの理想的なポジションマークのポジションと、コンピュータ内の理想的な構造化部のポジションとの間の相関は、データが常に提供されていて、初めに計測する必要がないため、計算可能である。
−光学的な誤差は、校正プロセスにおいて求めた値によりデータから算出可能である。
−上の列挙からのデータは、常に、基板上の現実の構造化部の、コンピュータ内の理想的な構造化部からの偏差の計算を可能にする。
【００９６】
一プロセスステップにおいて、特に基板座標系に対して相対的なマークフィールド座標系の軸配向を求める。特に修正は、基板とマークフィールド担体との間の相対変位、特に基板の能動的な運動により実施される。
【００９７】
しかし、基板をマークフィールド担体に固定した後、基板を再度動かすことは、有利ではないので、座標系間の相関は、特に数学的に求められる。マークフィールド担体における複数のポジションマーク、特に、互いに垂直な２つの方向に沿った複数のポジションマークを測定することにより、軸の方向を求めることができる。
【００９８】
同様の考えは、基板の軸にも当てはまる。これらのデータから回転行列Ｒが計算される。両座標原点間の変位は、特にベクトルｖにより表される。これによりわかることは、マークフィールド担体におけるポジションマークと、基板における構造化部との間の相関のための修正項が、方程式  ｘ基板＝Ｒ×ｘマークフィールド＋ｖにより表され得ることである。相応の反転表示は、ｘマークフィールド＝Ｒ−１×ｘ基板−ｖである。この分野における当業者は、必要な行列代数の知識を有している。
【００９９】
このプロセスステップのためにマークフィールドの複数のポジションマークあるいは基板における複数の構造化部が計測されるので、このプロセスステップは、問題なく時間的に明確に割り当てることはできない。両座標系間の相関は、データが多く存在していればしているほど、より正確に実施され得る。好ましくは、回転行列および変位ベクトルを求めるために、最小二乗法に基づく数学的なアルゴリズムが使用される。以下の文では、関与するすべての座標系の軸配向が常に互いに同じ原点および同じ配向を有していることを前提とする。
【０１００】
数学的な計算プロセスを説明するために以下の取り決めを用いる。インデックスｉは、理想的（ｉｄｅａｌ）を表し、インデックスｒは、現実（ｒｅａｌ）を表し、インデックスＳは、構造化部（Ｓｔｒｕｋｔｕｒ）を表し、インデックスＭは、マーク（Ｍａｒｋｅ）を表している。相違ベクトルは、常に小文字のｒで示す。相違ベクトルは、特に、終点を指す位置ベクトルから計算され、始点を指す位置ベクトルから計算されることは少ない。相応に、数学的な取り決めがそうであるように、終点のインデックスを最初に記載する。位置ベクトルは、遥か下に示し、説明する図には記入しない。例として、本発明により計算すべきベクトルｒＳｒ，Ｓｉを挙げる。これは、現実の構造化部と理想的な構造化部との間のポジションの偏差を表す相違ベクトルである。
【０１０１】
さらなるプロセスステップにおいて、コンピュータ内のマークフィールドの理想的なポジションマークのポジションをマークフィールド担体におけるマークフィールドの現実のポジションマークのポジションと比較する。この計測により、ポジションマークの現実のポジションおよび／またはポジションマークの理想的なポジションおよび／またはその相違ベクトルがコンピュータ内に記憶された表が得られる。これらの相違ベクトルは、ｒＭｒ，Ｍｉと記される。こうして求めた相違ベクトルは、以下の文ではマークフィールドエラーベクトルマップと称呼するベクトルマップを生じる。
【０１０２】
さらなるプロセスステップにおいて、マークフィールド担体におけるマークフィールドの現実のポジションマークのポジションを、基板における構造化部のポジションと比較する。マークフィールドのポジションマークの現実のポジションと、基板における構造化部のポジションとの計測により、ポジションマークの現実のポジションおよび／または基板における構造化部のポジションおよび／または相違ベクトルがコンピュータ内に記憶された表が得られる。これらの相違ベクトルは、ｒＳｒ，Ｍｒと記される。こうして求めた差は、以下の文では実際のマーク構造化部相違ベクトルマップと称呼するベクトルマップを生じる。これは、本発明の核心をなす思想を形成するプロセスステップ、すなわち、マークフィールド担体のポジションマークの、基板の構造化部との関連付けである。
【０１０３】
さらなるプロセスステップにおいて、コンピュータ内のマークフィールドの理想的なポジションマークのポジションをコンピュータ内の構造化部の理想的なポジションと比較する。コンピュータ内のマークフィールドのポジションマークの理想的なポジションと、コンピュータ内の構造化部の理想的なポジションとの読み取りにより、コンピュータ内のポジションマークの理想的なポジションおよび／またはコンピュータ内の構造化部の理想的なポジションおよび／または相違ベクトルが記憶されている表がコンピュータ内で得られる。これらの相違ベクトルは、ｒＳｉ，Ｍｉと記される。こうして求めた差は、以下の文では理想的なマーク構造化部相違ベクトルマップと称呼するベクトルマップを生じる。特にこのプロセスステップは、理想的なマークフィールドと、理想的な構造化部フィールドとの組み合わせ毎に１回だけ実施されればよい。
【０１０４】
結果として、而してｒＳｒ，Ｓｉ＝ｒＭｒ，Ｍｉ＋ｒＳｒ，Ｍｒ−ｒＳｉ，Ｍｉ−Ｆが生じる。ここで、Ｆは、光学的なエラーの、校正プロセスにおいて計算されたベクトルである。好ましくは、Ｆは、すべての点に関して一定である。すなわち、Ｆは、ベクトル場ではなく、場所の関数としての定数を表している。
【０１０５】
統計的な平均により測定の品質を向上させるべく、複数回の計測が本発明により可能である。改めての計測は、存在するデータおよびロケーションマークのロケーションにより迅速に実施可能である。検出がマークからマークへとステップバイステップに実施されると、検出は最速に進行する。これにより、基板ホルダの絶対的なポジションあるいは基板ホルダの相対的な変位を特に連続的に追跡する測定システムの使用は、無用である。
【０１０６】
任意選択的ではあるが、特に所望される、本発明によるさらなる方法ステップにおいて、予め計測したすべての構造化部を改めて計測すべく、基板の回転、特にちょうど１８０°の回転を実施する。構造化部の発見は、構造化部が先の検出ステップで既に、ポジションコード化されたロケーションマークと関連付けられているため、迅速に実施可能である。アルゴリズムの使用により、光学系の光軸の、場合によっては起こり得る斜行により生じた、場合によっては起こり得る光学的な誤差は、修正することが可能である。
【０１０７】
装置の機能的かつ／または材料的な部分の、技術的に可能なすべての組み合わせおよび／または並べ替えならびに掛け合わせと、これらに伴ってなされる、方法ステップの少なくとも１つまたは方法における変更とが開示されたものと見なされる。
【０１０８】
装置の特徴がここにかつ／または続く図面の説明に開示されている限り、装置の特徴は、方法の特徴としても開示されたものと見なされるべきであり、その逆もまた然り。
【０１０９】
本発明のさらなる利点、特徴および詳細は、好ましい実施例について図面を参照しながら行う以下の説明から看取可能である。
【図面の簡単な説明】
【０１１０】
【図１ａ】ロケーションマークとポジションマークとを有する本発明によるマークの第１の実施の形態の詳細図である。
【図１ｂ】ロケーションマークとポジションマークとを有する本発明によるマークの第２の実施の形態の詳細図である。
【図２】マークフィールドを有する本発明によるマークフィールド担体の一実施の形態の平面図および切断線Ａ−Ａに沿った断面図である。
【図３】本発明による基板ホルダの一実施の形態（第１の実施の形態）の平面図および切断線Ａ−Ａに沿った断面図である。
【図４】本発明による基板ホルダの一実施の形態（第２の実施の形態）の平面図および切断線Ａ−Ａに沿った断面図である。
【図５】本発明による基板ホルダの一実施の形態（第３の実施の形態）の平面図および切断線Ａ−Ａに沿った断面図である。
【図６】本発明による基板ホルダの一実施の形態（第４の実施の形態）の平面図および切断線Ａ−Ａに沿った断面図である。
【図７】構造化部とマークフィールドとを有する本発明による基板の平面図および断面図である。
【図８】本発明による検出の方法ステップにおける本発明に係る装置の一実施の形態を断面して側方から見た図である。
【図９】検出ステップの部分側面図である。
【図１０】検出ステップの部分側面図である。
【図１１】検出ステップの部分側面図である。
【図１２】検出ステップの部分側面図である。
【図１３】検出ステップの部分側面図である。
【図１４ａ】第１のポジションにおける第１の回転位置での、検出ステップから生成された重畳画像を示す図である。
【図１４ｂ】第１のポジションにおける第２の回転位置での、検出ステップから生成された重畳画像を示す図である。
【図１５ａ】第２のポジションにおける第１の回転位置での、検出ステップから生成された重畳画像を示す図である。
【図１５ｂ】第２のポジションにおける第２の回転位置での、検出ステップから生成された重畳画像を示す図である。
【図１６】本発明により求めた偏差を示すための、本発明により生成されたベクトル場を示す図である。
【図１７】生じた相違ベクトルを示す図である。
【０１１１】
図中、同じ構成部材または同じ機能を有する構成部材には、同じ符号を付した。
【０１１２】
図１ａは、マーク１を示しており、マーク１は、ロケーションマーク２、特にＱＲコードと、ポジションマーク３とからなっている。本発明による特に好ましい一実施の形態では、ロケーションマーク２は、ポジションマークとしても使用され、その結果、ポジションマーク３は、省略され、ロケーションマーク２内に含まれる。
【０１１３】
ロケーションマーク２は、任意のシステム、特に光学式のシステムにより情報を読み取ることができるように構成されている。例示的なＱＲコードは、読み取り可能なポジション情報（１，１１）を含んでいる。そこから、このロケーションマークが、図２に示すマークフィールド４のグリッドの第１行、第１１列に存在していることがわかる。
【０１１４】
図１ｂは、特に好ましいマーク１’を示しており、マーク１’は、ロケーションマーク２、特にＱＲコードと、ポジションマーク３’とからなっている。ロケーションマーク２は、この特別な実施の形態では、ポジションマーク３’より小さく、ポジションマーク３’により特に全周にわたって包囲される。評価アルゴリズムは、ポジションマーク３’の形状あるいは輪郭を認識し、ポジションマーク３’の正確なポジションを特定することができる。具体的なケースでは、正確なポジションは八角形の中心である。八角形の中心は、例えばソフトウェアにより、アルゴリズムが数学的な八角形を、計測した画像から得られた八角形の輪郭に適合させ、この数学的な八角形から中心を特定することによって見出すことができる。この種のアルゴリズムは、当業者に公知であり、ここではこれ以上説明することはしない。
【０１１５】
以後の図面の説明では、図１ａに示したマーク１を例示的に、本発明によるコンセプトをさらに解説するために使用する。
【０１１６】
図２は、マークフィールド４を有するマークフィールド担体５の平面図および側面図を示しており、マークフィールド４は、複数の、特に互いに高度に対称的に配置されたマーク１からなっている。図１ａに示したマーク１は、マークフィールド担体５に関する座標系６の図示の原点に対して第１行、第１１列に存在しているので、グリッドポジション（１，１１）に存在している。数え方は、ここではゼロで始まる。
【０１１７】
マークフィールド４は、好ましくは、マークフィールド担体５のマークフィールド担体表面５ｏ上に存在している。マークフィールド担体５は、好ましくは、透き通っているので、マークフィールド４は、マークフィールド担体裏側５ｒからマークフィールド担体５を通して検出可能である。マークフィールド担体５は、好ましくは、基板７（図８参照）を固定し得る固定手段１２を有し、固定手段１２は、真空路（Ｖａｋｕｕｍｂａｈｎ）の形態で形成されている。
【０１１８】
図３は、基板ホルダ８、特に透明の基板ホルダ８の第１の実施の形態を示しており、基板ホルダ８は、同時にマークフィールド担体５として形成されている。この場合、マークフィールド４は、好ましくは、固定手段１２と同様に基板ホルダ表面８ｏに存在している。本発明によるさらに好ましい一実施の形態では、基板ホルダ８は、不透明であり、マークフィールド４は、基板ホルダ裏側８ｒに配置されている。
【０１１９】
図４は、基板ホルダ８’の第２の実施の形態を示している。基板ホルダ８’は、マークフィールド担体５を収容している。つまり、基板ホルダ８’は、第１の実施の形態とは異なりマークフィールド担体自体ではない。マークフィールド担体５は、好ましくは透明である。マークフィールド４は、固定手段１２と同様にマークフィールド担体表面５ｏ上に存在している。マークフィールド担体５は、中央部では支持されておらず、それゆえ、特に重力に基づいて、しかし、上から作用する力によっても、下方に湾曲してしまうことがある。この種の湾曲は、マークフィールド担体表面５ｏ上のマークフィールド４を圧縮してしまうことがあるため、好ましくは、低減すべきものである。このことは、マークフィールド担体５を特に厚く構成することで達成される。
【０１２０】
図５は、基板ホルダ８’’のさらに改良した第３の実施の形態を示している。基板ホルダ８’’は、マークフィールド担体５を支持する支柱１０を有しているので、湾曲は、大幅に回避される。好ましくは、支柱１０はそれ自体透明である。
【０１２１】
図６は、基板ホルダ８’’’のさらに改良した第４の実施の形態を示している。基板ホルダ８’’’は、貫通部１４を有する支柱１０を有しており、貫通部１４は、特にテーパ状に延びている。貫通部１４内には、個々のマークフィールド担体５’、特にインサートとして形成されたマークフィールド担体５’が収容可能であるか、または固定されており、マークフィールド担体５’は、マークフィールド４を有している。固定手段１２は、この特別な実施の形態では、例えば基板ホルダ８’’’内に存在している。
【０１２２】
特に支柱１０のみがマークフィールド４を有しているので、支柱１０間の空いた領域には、マークは設けられていない。これにより、基板ホルダ８’’’は、極めて精細かつ軽量に形成され、しかも簡単に製造可能である。基板ホルダ８’’’は、厚さが比較的薄いにもかかわらず高い剛性を有している。さらにマークフィールド担体５’、ひいてはマークフィールド４は、比較的簡単に交換可能である。
【０１２３】
図７は、マークフィールド担体５’’の、好ましさの程度の劣る第５の実施の形態を示しており、マークフィールド担体５’’は、ここでは基板７自体により形成されている。基板７は、一方の側（マークフィールド担体裏側５ｒ’’）に構造化部１１を有し、それとは反対側にマークフィールド４を有している。この特殊な実施の形態は、マークフィールド４が存在しているマークフィールド担体裏側５ｒ’’が変形しないことを保証できる場合にのみ、有意義である。
【０１２４】
図８は、装着され、固定された透明のマークフィールド担体５を有する基板ホルダ８’を示しており、基板ホルダ８’上には、構造化部１１を有する基板７が固定手段１２により固定されている。
【０１２５】
第１の、特に上側の光学系１３は、（拡大して図示した）視界でもって基板表面７ｏを検出している。基板表面７ｏ上には、構造化部１１が配置されている。第１の光学系１３は、構造化部１１に焦点合わせされている。
【０１２６】
第１の光学系１３により特に校正された、好ましくは合同の第２の光学系１３’は、マークフィールド４を有するマークフィールド担体表面５ｏを、透明のマークフィールド担体５を通して検出する。第２の光学系１３’は、マーク２に焦点合わせされている。
【０１２７】
検出した画像は、重畳、特にデジタル式に重畳されて、１つの重畳画像を生じ、この重畳画像から、Ｘ−Ｙ−座標系に関連して、１つ（または複数）の構造特徴部１１ｃ（ここでは、構造化部１１の左上の角）と、高度に正確なポジションマーク３との間隔ｄｘおよびｄｙが特定される。
【０１２８】
図８に示した例では、構造化部１１の角（構造特徴部１１ｃ）が、ポジションマーク３と一致しておらず、間隔ｄｘおよびｄｙは、つまりゼロでない。さらに構造化部１１は、ポジションマーク３の参照アライメントに対して若干回転している。
【０１２９】
光学系１３，１３’の視界あるいは重畳画像から、さらにロケーションマーク２が看取可能であり、ロケーションマーク２は、大まかなポジションについての情報提供を可能にする。
【０１３０】
複数の構造特徴部１１ｃの検出から、構造化部１１の回転状態および／または変形を特定することができる。
【０１３１】
図９ないし１３は、以下のように区別されるそれぞれ異なる事例におけるさらなる検出ステップを示している。
【０１３２】
図９：両光学系１３の光軸は、互いに一致している。さら構造化部１１の特徴的な構造特徴部１１ｃは、ポジション計測にとって重要なポジションマーク３の直上に存在している。これに応じて理想的な重畳画像が生じる。さらなる特徴は、基板表面７ｏ上の構造化部１１の密度が、マークフィールド担体表面５ｏ上のポジションマーク３の密度と等しいことにある。好ましくは、それぞれ異なる密度の構造化部１１を有する様々な基板７のために使用可能なマークフィールド担体５が構成される。
【０１３３】
マーク１の密度は、本発明によれば特に構造化部１１の密度より高い。これにより、構造化部１１および／または構造特徴部１１ｃの領域に少なくとも１つのマーク１が光学系１３，１３’の視界内で位置することが保証される。
【０１３４】
図１０：両光学系１３の光軸は、互いに一致している。この事例では、構造化部１１の特徴的な特徴部１１ｃは、ポジション測定にとって重要なポジションマーク３の直上には存在していない。重畳画像内に生じる不一致は、専らポジションマーク３と構造化部１１との間のずれに帰すべきものであって、光学的なエラーに基づくものではない。さらなる特徴は、基板表面７ｏ上の構造化部１１の密度が、マークフィールド担体表面５ｏ上のポジションマーク３の密度と等しくないことにある。
【０１３５】
本図からは、確かに並進なずれが、構造化部１１、より正確には構造化部１１の特徴的な特徴部１１ｃと、ポジションマーク３との間に存在しているが、これらは、すべての（図示の）重畳画像について同じであることも看取可能である。このことは、図９に示した重なり状態を得るためには、基板７をマークフィールド担体５に対して相対的に変位させるだけでよいということと同義である（図１０における構造化部の密度は、図９における密度の半分にすぎないため、当然のことながら、１つおきの構造化部１１についてのみ）。
【０１３６】
図１１：両光学系１３，１３’の光軸は、互いに一致せず、互いに平行ですらない。それゆえ、構造化部１１の特徴的な構造特徴部１１ｃが、それぞれのポジションマーク３と（仮にそれらが正確に重なり合って位置していても）重畳画像内で一致していることを前提とすることはできない。光軸の斜行は、基板７の厚さの変化、基板７のウェッジエラー等と同様に、理想的な条件下ですら重畳画像が理想的でないことに至る。これらの光学的なエラーを修正すべく、（上述のように）１８０°の回転を実施して、すべての構造化部の第２の計測を行い、構造化部１１の特徴的な構造特徴部１１ｃのこうして求めたポジションの平均値から、主に光軸の斜行に基因するべき光学的なエラーを算出する。
【０１３７】
図１２：構造化部１１の密度は、ポジションマーク３の密度とは異なっている。特徴的な構造特徴部１１ｃは、ポジションマーク３と一致せず、光学系３の光軸は、互いに一致しておらず、互いに平行でもない。図１１に関して説明したように、光軸由来のエラーを解消することで、その後には、図１０に示した重畳画像が残される。
【０１３８】
図１３：本実施の形態は、本発明による好ましいケースを示している。やはり、構造化部１１とポジションマーク３の密度は異なっている。斜めの光軸により、光学的なエラーが重畳画像内に生じる。光学的なエラーは、１８０°の回転と、すべての構造化部の第２の完全な計測とにより算出される。さらに構造化部１１は、左方にかなりずれて存在している。表面は、あるプロセスによって歪められているかつ／またはこの部分は、熱負荷に基づいてより強く熱膨張している可能性がある。つまり、構造化部１１のこの変位は、特に基板７が全体としてマークフィールド４に対して変位したことに帰すべきものである、マークフィールド４に対するすべての構造化部１１の全体的な変位とは、もはや無関係なものである。構造化部１１のこの変位は、場所固有であり、内在的である。重要なのは、とりわけ、その下に位置するマークフィールド４が高対称性であり、高対称性が維持されていることである。
【０１３９】
以下の図は、起こり得るエラー原因と、エラー原因を特定の際に求めて、評価することができるようにするための、本発明に係る方法のエラー原因に関する対策とについてさらに説明するために用いられる。
【０１４０】
図１４ａは、構造化部１１と、ポジションマーク３およびロケーションマーク２との、ポジション（１１，１）における０°の回転位置での重畳画像を示している。ポジションマーク３と、構造化部１１の特徴的な構造特徴部１１ｃとの間の間隔ｄｘ（１１，１），０°およびｄｙ（１１，１），回転位置０°が検出される。
【０１４１】
図１４ｂは、構造化部１１と、ポジションマーク３およびロケーションマーク２との、第１のポジション（１１，１）における１８０°の回転位置での重畳画像を示している。ポジションマーク３と、構造１１の特徴的な構造特徴部１１ｃとの間の間隔ｄｘ（１１，１），１８０°およびｄｙ（１１，１），回転位置１８０°が検出される。
【０１４２】
値ｄｘ（１１，１），０°および値ｄｘ（１１，１），１８０°あるいは値ｄｙ（１１，１），０°および値ｄｙ（１１，１），１８０°から、光軸の斜行と、他のエラー原因とにより生じるエラーが、ｘ方向あるいはｙ方向で算出され、その結果、ポジションマーク３と、構造化部１１の特徴的な特徴部１１ｃとの間の正味のずれが求められ（計算され）得る。
【０１４３】
図１５ａおよび１５ｂは、第２のポジション（１２，１）の別の構造化部１１を、やはり２つの異なる回転位置（０°および１８０°）で示している。ここでも、光軸の斜行と、他のエラー原因とにより生じるエラーが、ｘ方向あるいはｙ方向で算出され得る。図１４および１５は、ポジションマーク３と特徴的な構造特徴部１１ｃとの間の水平方向および／または垂直方向のずれが、異なるポジションにおいて著しく相違し得ることを明らかにしている。これらの相違は、とりわけ歪み、膨張等の結果である。
【０１４４】
図１６は、ベクトル場を示している。このベクトル場は、構造化部１１（ここでは図示せず）が場所（位置）の関数としてどのように変形しているかを概略的に表している。矢印の大きさは、中心から外に向かって変形が増大することを示している。これは、構造化部が基板７の縁部に向かって伸長されることを略示している。矢印の長さは増大している。これは、並進なずれが縁部に向かって拡大することを略示している。つまり、これは古典的なランアウトエラーである。矢印のいずれも接線方向成分を有しないため、回転方向のずれは全く認められない。実際には、本発明により求めたベクトル場は、より複雑な外観を呈している。
【０１４５】
図１７は、あるロケーションでの、理想的な構造化部および現実の構造化部ならびに理想的なポジションマークおよび現実のポジションマークの画像重畳の一部を抜粋した概略図を示している。この図示は、計算可能かつ測定可能な様々な量の関係を数学的に説明するために用いられる。ロケーションマークの正確な図示は、簡明性のために省略した。理想的な平面および現実の平面の座標系の座標軸は、既に互いに適合され、その結果、すべての座標系は、互いに同じ配向および同じ原点を有している。明示的には示さず、式でしか言及しない光学的なエラーを除き、他のすべての相違ベクトルの関係が看取可能である。理想的なポジションマーク３ｉのポジションおよび理想的な構造化部１１ｉのポジションは、コンピュータ内に存在している。現実のポジションマーク３ｒのポジションおよび現実の構造化部１１ｒのポジションは、測定される。本発明により相違ベクトルｒＳｒ，Ｍｒは、計測することができる。相違ベクトルｒＳｉ，Ｍｉは、直接、コンピュータデータから求めることができる。そのための測定は不要である。相違ベクトルｒＭｒ，Ｍｉは、同じく計測することができる。獲得したデータから、相違ベクトルｒＳｒ，Ｓｉ、つまり、現実の構造化部１１ｒのポジションの、理想的な構造化部１１ｉのポジションからのずれ（偏差）が計算される。
【符号の説明】
【０１４６】
１，１’  マーク
２  ロケーションマーク
３，３’，３ｉ，３ｒ  ポジションマーク
４  マークフィールド
５，５’，５’’  マークフィールド担体
５ｏ，５ｏ’，５ｏ’’  マークフィールド担体表面
５ｒ，５ｒ’’  マークフィールド担体裏側
６  物体固定の座標系
７  基板
７ｏ  基板表面
８，８’，８’’，８’’’  基板ホルダ
８ｏ  基板ホルダ表面
８ｒ  基板ホルダ裏側
９  固定要素
１０  支柱
１１，１１ｉ，１１ｒ  構造
１１ｃ  特徴的な構造特徴部
１２  固定手段
１３，１３’  光学系
１４  貫通部
【図１ａ】
2021517960.tif 000003
【図１ｂ】
2021517960.tif 000004
【図２】
2021517960.tif 000005
【図３】
2021517960.tif 000006
【図４】
2021517960.tif 000007
【図５】
2021517960.tif 000008
【図６】
2021517960.tif 000009
【図７】
2021517960.tif 000010
【図８】
2021517960.tif 000011
【図９】
2021517960.tif 000012
【図１０】
2021517960.tif 000013
【図１１】
2021517960.tif 000014
【図１２】
2021517960.tif 000015
【図１３】
2021517960.tif 000016
【図１４ａ】
2021517960.tif 000017
【図１４ｂ】
2021517960.tif 000018
【図１５ａ】
2021517960.tif 000019
【図１５ｂ】
2021517960.tif 000020
【図１６】
2021517960.tif 000021
【図１７】
2021517960.tif 000022
【国際調査報告】
2021517960.tif 000023
2021517960.tif 000024
2021517960.tif 000025
2021517960.tif 000026
2021517960.tif 000027
2021517960.tif 000028